(57)【特許請求の範囲】
【請求項１】
電気信号の伝送線である芯線と、この芯線の周囲を覆う柱状の誘電体と、前記芯線と絶縁されて前記誘電体の外周を覆って配設されるア−ス電位部と、このア−ス電位部の外周を覆う絶縁被覆とを有する同軸ケーブルを、電気回路に接続するための同軸ケーブル用コネクタであって、前記芯線に密着するとともに芯線密着側とは反対の側が電気回路に接続するコンタクト端子として形成されてある導電性のコンタクト部と、このコンタクト部を内包する内側筒部の先端に形成されるとともにコンタクト部と絶縁されて前記誘電体と前記ア−ス電位部との隙間に進入して前記ア−ス電位部に外方に向けて係止する導電性の内側爪部と、内側筒部から延出する支持部を介して内側筒部よりも大きい径を有する円筒形状の外側筒部の端部に形成され前記コンタクト部と絶縁されて前記絶縁被覆の外周に係止する外側爪部とを有することを特徴とする同軸ケーブル用コネクタ。
【請求項２】
前記支持部は、弾性を有して形成され、同軸ケーブルの前記絶縁被覆によって押し込まれていない状態では、外側に突出しない凹形状であって、同軸ケーブルの前記絶縁被覆によって押し込まれると、前記外側爪部が前記絶縁被覆に噛み込むよう、外側に突出する凸形状に弾性変形することを特徴とする請求項１に記載の同軸ケーブル用コネクタ。
【発明の詳細な説明】
【０００１】
【発明の属する技術分野】
本発明は、同軸ケーブルを筐体内の電気回路に接続するための同軸ケーブル用コネクタに関する。
【０００２】
【従来の技術】
図６乃至図１０を用いて従来の同軸ケーブル用コネクタを説明する。図６は同軸ケーブル用コネクタのケーブル側部品をあらわす模式図、図７はケーブル側部品を同軸ケーブルに装着する作業を説明する側面図である。図８は同軸ケーブル用コネクタのレセプタクルの斜視図、図９はレセプタクルを電気回路に接続し、筐体に保持した状態を示す側面図である。図１０は同軸ケーブル用コネクタを用いて同軸ケーブルを筐体内の電気回路に接続する様子を示した側面図である。
【０００３】
同軸ケーブル１０は、図６に示すように、電気信号の伝送線である芯線１と、芯線１の外周を覆う誘電体２と、誘電体２の外周を覆うメッシュ状のア−ス電位部３と、ア−ス電位部３の外周を覆う絶縁被覆４とを備えて構成されている。なお、芯線１と、誘電体２と、ア−ス電位部３とは、互いに絶縁している。
【０００４】
同軸ケーブル用コネクタ２０は、ケーブル側部品３０と、レセプタクル４０とかしめ用環状金具５０とを備えて構成されている。ケーブル側部品３０は、全て導電性部材であって、誘電体２とア−ス電位部３との間に挿入可能な略円筒型のケーブル側装着部３１と、ケーブル側装着部３１に対して自由に回動する六角ネジ部３２とを備えて構成されている。なお、ケーブル側装着部３１の先端は、誘電体２とア−ス電位部３との間に挿入しやすいように、テーパー形状３１ａが形成されている。
【０００５】
このようなケーブル側部品３０は、テーパー形状３１ａを誘電体２とア−ス電位部３との間に挿入させて、そのまま図７の矢印Ａ方向に押し込まれることによって、同軸ケーブル１０に装着する。この状態では、ケーブル側装着部３１はア−ス電位部３と接触しており、ケーブル側部品３０全体がア−ス電位部３と同電位となっている。また、この状態では、ケーブル側部品３０は、矢印Ａ方向とは逆の方向に抜けてしまうので、かしめ用環状金具５０によって絶縁被覆４の外側からかしめられて、同軸ケーブル１０に固着する。
【０００６】
レセプタクル４０は、ケーブル側部品３０と対をなす部品であって、図８に示すように、導電性部材であって一端に大径板部４１ａを備えて外周にネジが切られた略円筒形状のレセプタクル本体４１と、レセプタクル本体４１の内部に収納される絶縁ケース４２と、絶縁ケース４２の内部に位置するバネ部材４３とを備えて構成されている。絶縁ケース４２は、バネ部材４３の前面に芯線１よりも少々大きい開口４２ａが形成されている。また、バネ部材４３の、開口４２ａと反対側は、大径板部４１ａおよび絶縁ケース４２よりも外に延出するコンタクト端子４３ａとなっている。
【０００７】
このようなレセプタクル４０は、図９に示すように、電気回路のプリント基板６０を収容する導電性部材の筐体７０に取り付けられる。筐体７０には、レセプタクル４０を取り付けるための孔（不図示）が空けられており、この孔の周縁を大径板部４１ａとナット４４とで挟持することにより、レセプタクル４０は、筐体７０に保持される。この状態で、コンタクト端子４３ａは、プリント基板６０の信号ラインパターンに半田付けされる。なお、筐体７０は、プリント基板６０のアース電位と接続されており、筐体７０に密着するレセプタクル本体４１を、プリント基板６０のアース電位と同電位にしている。
【０００８】
ケーブル側部品３０が固着された同軸ケーブル１０は、図１０に示すように、六角ネジ部３２をレセプタクル本体４１の外周のネジに螺合させながら、芯線１を、開口４２ａに挿入し、バネ部材４３に弾性係止させると、電気回路６０に接続される。
【０００９】
【発明が解決しようとする課題】
しかしながら、上述のような従来の同軸ケーブル用コネクタ２０においては、ケーブル側部品３０と、レセプタクル４０とかしめ用環状金具５０とを備えて構成されているため、すなわち、同軸ケーブル用コネクタ２０がオスとメスとの２部品に分かれているため、同軸ケ−ブル１０へケーブル側部品３０を装着した後も、かしめ用環状金具５０でかしめたり、ケーブル側部品３０をレセプタクル４０に装着したりする必要があり、手間がかかるという問題点があった。
【００１０】
本発明は上記の問題点を解決するためになされたもので、その目的とするところは、同軸ケ−ブルを電気回路に接続する際に手間がかからない同軸ケーブル用コネクタを提供することにある。
【００１１】
【課題を解決するための手段】
請求項１記載の発明にあっては、電気信号の伝送線である芯線と、この芯線の周囲を覆う柱状の誘電体と、前記芯線と絶縁されて前記誘電体の外周を覆って配設されるア−ス電位部と、このア−ス電位部の外周を覆う絶縁被覆とを有する同軸ケーブルを、電気回路に接続するための同軸ケーブル用コネクタであって、前記芯線に密着する導電性のコンタクト部と、このコンタクト部を内包する内側筒部の先端に形成されるとともにコンタクト部と絶縁されて前記誘電体と前記ア−ス電位部との隙間に進入して前記ア−ス電位部に外方に向けて係止する導電性の内側爪部と、内側筒部から延出する支持部を介して内側筒部よりも大きい径を有する円筒形状の外側筒部の端部に形成され前記コンタクト部と絶縁されて前記絶縁被覆の外周に係止する外側爪部とを有することを特徴とする。
また、請求項２に記載の発明にあっては、請求項１に記載の発明において、前記支持部は、弾性を有して形成され、同軸ケーブルの前記絶縁被覆によって押し込まれていない状態では、外側に突出しない凹形状であって、同軸ケーブルの前記絶縁被覆によって押し込まれると、前記外側爪部が前記絶縁被覆に噛み込むよう、外側に突出する凸形状に弾性変形することを特徴とする。
【００１２】
【発明の実施の形態】
以下、本発明に係る同軸ケーブル用コネクタの第１の実施の形態を図１および図２に基づいて、第２の実施の形態を図３に基づいて、第３の実施の形態を図４および図５に基づいて、それぞれ詳細に説明する。
【００１３】
［第１の実施の形態］
図１は同軸ケーブルを同軸ケーブル用コネクタに装着する作業を説明する要部断面側面図である。図２は同軸ケーブル用コネクタの斜視図である。
【００１４】
同軸ケーブル１０は、図１に示すように、電気信号の伝送線である芯線１と、芯線１の外周を覆う誘電体２と、誘電体２の外周を覆うメッシュ状のア−ス電位部３と、ア−ス電位部３の外周を覆う絶縁被覆４とを備えて構成されている。なお、芯線１と、誘電体２と、ア−ス電位部３とは、互いに絶縁している。
【００１５】
同軸ケーブル用コネクタ２０は、コンタクト部２１と、絶縁筒２２と、内側筒部２３と、外側筒部２４とを備えて構成されている。
【００１６】
コンタクト部２１は、導電性部材からなり、一方向Ｂに長く、芯線１が進入しやすいテーパー部が形成されて芯線１が進入したとき密着する所定の深さの凹部２１ａが形成されている。コンタクト部２１は、凹部２１ａとは反対側が、コンタクト端子２１ｂとなっている。絶縁筒２２は、絶縁部材からなる円筒形状に形成され、内部にコンタクト部２１を挿入されてコンタクト部２１のコンタクト端子２１ｂ以外の一方向Ｂの外周を略覆っている。
【００１７】
内側筒部２３は、導電性部材からなり一方向Ｂに長い略円筒形状に形成され、内部に絶縁筒２２が挿入され、この状態では、コンタクト部２１は、コンタクト端子２１ｂを露出させた状態にある。内側筒部２３は、外面のコンタクト端子２１ｂ側にネジ部２３ａが切られており、このネジ部２３ａで筐体７０の孔７１にネジ止めされる。また、内側筒部２３は、ネジ部２３ａと反対側の端部に、一方向Ｂに垂直な方向に突出し、従来例に示したテーパー形状３１ａよりも大きい内側爪部２３ｂが形成されている。
【００１８】
また、内側筒部２３の外面であってネジ部２３ａの傍には、一方向Ｂに垂直な方向に延出する導電性の支持部２５が形成されており、さらに支持部２５の先端には、内側筒部２３よりも大きい径を有する円筒形状の外側筒部２４が形成されている。この外側筒部２４は、支持部２５とは反対側の端部に、絶縁被覆４の厚みと略同等の突出高に形成された外側爪部２４ａが形成されている。
【００１９】
このように構成される同軸ケーブル用コネクタ２０は、例えば、図２のセンター線Ｃを通る平面に関して対称であって、内側筒部２３と、外側筒部２４と、支持部２５とを分断するような、二分割状態で生産すればよい。
【００２０】
このように構成される同軸ケーブル用コネクタ２０においては、ネジ部２３ａで筐体７０の孔７１にネジ止めされることによって、筐体７０に保持される。その後、同軸ケーブル用コネクタ２０は、コンタクト端子２１ｂをプリント基板６０の信号ラインパターンに半田付けされる。なお、筐体７０は、プリント基板６０のアース電位と接続されているため、内側筒部２３と、外側筒部２４と、支持部２５とは、いずれもアース電位になる。
【００２１】
同軸ケーブル１０は、内側爪部２３ｂを誘電体２とア−ス電位部３との間に挿入させて、そのまま図１の矢印Ａ方向に押し込まれることによって、芯線１が凹部２１ａに係合し、誘電体２が内側筒部２３の内側に入り、同軸ケーブル用コネクタ２０に装着する。この状態では、内側爪部２３ｂはア−ス電位部３と接触しており、内側爪部２３ｂに係止されるア−ス電位部３が、プリント基板６０のアース電位と接続されている。この状態では、同軸ケーブル１０を矢印Ａ方向とは逆の方向に引っ張っても、内側爪部２３ｂがア−ス電位部３に係止しているので、同軸ケーブル１０は引き抜けない。つまり、同軸ケーブル１０は同軸ケーブル用コネクタ２０にはめ殺されてしまうのである。
【００２２】
また、絶縁被覆４は、外側から外側爪部２４ａが食い込んで同軸ケーブル用コネクタ２０に挟持される。つまり、同軸ケーブル１０は、外側爪部２４ａによっても挟持されて同軸ケーブル用コネクタ２０にはめ殺されてしまうのである。
【００２３】
従って、芯線１に密着する導電性のコンタクト部２１と、コンタクト部２１と絶縁されてア−ス電位部３に係止する導電性の内側爪部２３ｂと、コンタクト部２１と絶縁されて絶縁被覆４の外周に係止する外側爪部２４ａとを有するため、同軸ケ−ブル１０を矢印Ａ方向に押し込めば、同軸ケ−ブル１０を電気回路６０に接続できる。言い換えれば、同軸ケーブル用コネクタ２０がオスとメスとの２部品に分かれることもなく、同軸ケ−ブル１０を装着した後にかしめ工具でかしめたりする必要も無く、同軸ケ−ブル１０を電気回路６０に接続する際に手間がかからない。
【００２４】
なお、上記実施の形態においては、内側爪部２３ｂや外側爪部２４ａは、内側筒部２３と、外側筒部２４との全周にわたって設けられなくともよく、部分的に設けられていてもよい。
【００２５】
また、上記実施の形態においては、コンタクト部２１は、凹部２１ａが芯線１に密着するようにしたものを例示したが、本発明はこれに限らず、芯線を保持して芯線に導電する部材は、芯線を側方から挟持するバネ部材であってもよい。
【００２６】
また、外側筒部２４と支持部２５とは、絶縁部材で構成して内側筒部２３に後付けしてもよい。このようにすれば、同軸ケーブル用コネクタは、出来上がりの状態では１つの部品であるが、製造過程では、比較的形成しやすい複数の構成部品の組み合わせからなるようにできる。言い換えれば、同軸ケーブル用コネクタは、センター線を通る平面に関して対称であって、内側筒部と、外側筒部と、支持部とを分断するような、二分割状態で生産される場合に比べて、製造が容易になる。
【００２７】
［第２の実施の形態］
図３は同軸ケーブルを同軸ケーブル用コネクタに装着する作業の説明図で、(a) は同軸ケーブル用コネクタの斜視図、(b) は装着前の要部断面側面図、(c) は装着後の要部断面側面図である。なお、前述の第１の実施の形態と同一の箇所には同じ符号を付し、同一の箇所の詳細な説明は省略する。
【００２８】
この第２の実施の形態の同軸ケーブル用コネクタが前述の第１の実施の形態の同軸ケーブル用コネクタと異なり特徴となる構成は、支持部に弾性を持たせた点である。
【００２９】
支持部２５は、矢印Ａ方向に力を加えれば、矢印Ａ方向に凸となり、矢印Ａ方向とは逆の方向に力を加えれば、矢印Ａ方向に凹となるような、弾性を有する部材である。
【００３０】
このような支持部２５は、図３(b) に示すように、当初は矢印Ａ方向に凹となっていれば、同軸ケーブル１０の絶縁被覆４が当たってきて、図３(c) に示すように、矢印Ａ方向に凸となる。支持部２５は、矢印Ａ方向に凸となるとき、矢印Ａ方向への引っ張り力を、外側筒部２４に伝える。外側筒部２４は、支持部２５から伝えられた引っ張り力を、外側爪部２４ａに伝える。外側爪部２４ａは、支持部２５に発生して、外側筒部２４から伝えられた引っ張り力によって、絶縁被覆４を堅固に係止する。なお、外側爪部２４ａは、部分的に形成されている。
【００３１】
従って、前記第１の実施の形態と略同様の効果を奏すると共に、支持部２５に矢印Ａ方向に凹凸となる弾性を持たせたため、外側爪部２４ａは、前記第１の実施の形態に比較して、さらに堅固に絶縁被覆４に噛み、同軸ケーブル１０の抜け落ちを防止しやすい。
【００３２】
なお、上記実施の形態においては、内側爪部２３ｂは、内側筒部２３の全周にわたって設けられなくともよく、部分的に設けられていてもよい。また、外側爪部２４ａは、外側筒部２４の全周にわたって設けられていてもよい。
【００３３】
また、上記実施の形態においては、コンタクト部２１は、凹部２１ａが芯線１に密着するようにしたものを例示したが、本発明はこれに限らず、芯線を保持して芯線に導電する部材は、芯線を側方から挟持するバネ部材であってもよい。
【００３４】
また、外側筒部２４と支持部２５とは、絶縁部材で構成して内側筒部２３に後付けしてもよい。このようにすれば、同軸ケーブル用コネクタは、出来上がりの状態では１つの部品であるが、製造過程では、比較的形成しやすい複数の構成部品の組み合わせからなるようにできる。言い換えれば、同軸ケーブル用コネクタは、センター線を通る平面に関して対称であって、内側筒部と、外側筒部と、支持部とを分断するような、二分割状態で生産される場合に比べて、製造が容易になる。
【００３５】
［第３の実施の形態］
図４は同軸ケーブル用コネクタの説明図で、(a) は側面図、(b) は可動爪の斜視図である。図５は同軸ケーブル用コネクタの説明図で、(a) は可動爪が傾倒する前の一部断面側面図、(b) は可動爪が傾倒した後の一部断面側面図である。
【００３６】
この第３の実施の形態の同軸ケーブル用コネクタが前述の第１の実施の形態の同軸ケーブル用コネクタと異なり特徴となる構成は、外側筒部に、絶縁被覆側に突出する可動爪を設けた点である。
【００３７】
図４(a) に示すように、同軸ケーブル用コネクタ２０は、外側筒部２４の外面にネジ２４ｃが切られている。外側筒部２４の外面には、ネジ２４ｃに従って矢印Ａ方向とは逆の方に進行可能な外側筒部用ネジ２６が付加されている。また、外側筒部２４には、図４(a) に示すように、回動軸２７ａ中心に回動可能な可動爪２７が、矢印Ａ方向に垂直な平面内に回動軸２７ａを有するようにして回動自在に取り付けられている。可動爪２７は、端部に、先端にいくほど鋭利な爪先端部２７ｂを形成されている。ここで、外側筒部２４は、可動爪２７を回動可能に保持するような、保持溝部２４ｄが、切り欠き形成されている。可動爪２７は、保持溝部２４ｄに保持されて回動軸２７ａを固定され、外側筒部２４に対して回動軸２７ａ中心に回動可能に動くのである。
【００３８】
このような同軸ケーブル用コネクタ２０にあっては、可動爪２７は、図５(a) に示すように、外側筒部２４の内側に突出してはいない。すなわち、可動爪２７は、爪先端部２７ｂが縁被覆４に引っ掛からないようにされている。次に、前述の第１の実施の形態のように同軸ケーブル１０を矢印Ａ方向に挿入した後、外側筒部用ネジ２６を矢印Ａ方向とは逆の方に進行させる。外側筒部用ネジ２６を、可動爪２７に当たるまで進行させると、可動爪２７は、図５(a) の状態から、図５(b) の状態のように、回動軸２７ａを中心にして爪先端部２７ｂを回転突出させる。このとき、爪先端部２７ｂは、外側筒部２４の内面から、内側爪部２３ｂと略同じだけ突出する。
【００３９】
このようにして、爪先端部２７ｂが突出すれば、引き続き外側筒部用ネジ２６を進行させて、可動爪２７が元の状態に戻らないようにする。すなわち、爪先端部２７ｂが外側筒部２４の内面から外側爪部２４ａと略同じ高さだけ突出している場合には、可動爪２７は、外側筒部２４の外面から外には出てこないのである。このように、外側筒部用ネジ２６によって可動爪２７を押さえつけるようにすれば、絶縁被覆４を噛んだ可動爪２７を、動かないようにでき、外側爪部２４ａの他に可動爪２７によっても絶縁被覆４を係止できる。
【００４０】
従って、前記第１の実施の形態と略同様の効果を奏すると共に、外側爪部２４ａの他に可動爪２７によっても絶縁被覆４を係止できる。
【００４１】
なお、上記実施の形態においては、内側爪部２３ｂや外側爪部２４ａは、内側筒部２３と、外側筒部２４との全周にわたって設けられなくともよく、部分的に設けられていてもよい。
【００４２】
また、上記実施の形態においては、コンタクト部２１は、凹部２１ａが芯線１に密着するようにしたものを例示したが、本発明はこれに限らず、芯線を保持して芯線に導電する部材は、芯線を側方から挟持するバネ部材であってもよい。
【００４３】
また、外側筒部２４と支持部２５とは、絶縁部材で構成して内側筒部２３に後付けしてもよい。このようにすれば、同軸ケーブル用コネクタは、出来上がりの状態では１つの部品であるが、製造過程では、比較的形成しやすい複数の構成部品の組み合わせからなるようにできる。言い換えれば、同軸ケーブル用コネクタは、センター線を通る平面に関して対称であって、内側筒部と、外側筒部と、支持部とを分断するような、二分割状態で生産される場合に比べて、製造が容易になる。また、可動爪２７は、絶縁体で形成してもよい。
【００４４】
【発明の効果】
請求項１記載の発明にあっては、電気信号の伝送線である芯線と、この芯線の周囲を覆う柱状の誘電体と、前記芯線と絶縁されて前記誘電体の外周を覆って配設されるア−ス電位部と、このア−ス電位部の外周を覆う絶縁被覆とを有する同軸ケーブルを、電気回路に接続するための同軸ケーブル用コネクタであって、前記芯線に密着する導電性のコンタクト部と、このコンタクト部を内包する内側筒部の先端に形成されるとともにコンタクト部と絶縁されて前記誘電体と前記ア−ス電位部との隙間に進入して前記ア−ス電位部に外方に向けて係止する導電性の内側爪部と、内側筒部から延出する支持部を介して内側筒部よりも大きい径を有する円筒形状の外側筒部の端部に形成され前記コンタクト部と絶縁されて前記絶縁被覆の外周に係止する外側爪部とを有するため、同軸ケ−ブルを押し込めば、同軸ケ−ブルを電気回路に接続できる。言い換えれば、同軸ケーブル用コネクタがオスとメスとの２部品に分かれることもなく、同軸ケ−ブルを装着した後にかしめ工具でかしめたりする必要も無く、同軸ケ−ブルを電気回路に接続する際に手間がかからない。
また、請求項２記載の発明にあっては、支持部は、弾性を有して形成され、同軸ケーブルの絶縁被覆によって押し込まれていない状態では、外側に突出しない凹形状であって、同軸ケーブルの記絶縁被覆によって押し込まれると、外側爪部が絶縁被覆に噛み込むよう、外側に突出する凸形状に弾性変形するので、請求項１記載の発明の効果に加えて、支持部に凹凸となる弾性を持たせたため、外側爪部は、さらに堅固に絶縁被覆に噛み、同軸ケーブルの抜け落ちを防止しやすい。
【図面の簡単な説明】
【図１】本発明に係る第１の実施の形態の同軸ケーブル用コネクタに同軸ケーブルを装着する作業を説明する要部断面側面図である。
【図２】同上の同軸ケーブル用コネクタの斜視図である。
【図３】本発明に係る第２の実施の形態の同軸ケーブル用コネクタに同軸ケーブルを装着する作業の説明図である。
【図４】本発明に係る第３の実施の形態の同軸ケーブル用コネクタの説明図である。
【図５】同上の同軸ケーブル用コネクタの説明図である。
【図６】従来の同軸ケーブル用コネクタの一部品であるケーブル側部品をあらわす模式図である。
【図７】同上のケーブル側部品を同軸ケーブルに装着する作業を説明する側面図である。
【図８】同上の同軸ケーブル用コネクタの一部品であるレセプタクルの斜視図である。
【図９】同上のレセプタクルを電気回路に接続し、筐体に保持した状態を示す側面図である。
【図１０】同上の同軸ケーブル用コネクタを用いて同軸ケーブルを筐体内の電気回路に接続する様子を示した側面図である。
【符号の説明】
１      芯線
２      誘電体
３      ア−ス電位部
４      絶縁被覆
１０    同軸ケーブル
２０    同軸ケーブル用コネクタ
２１    コンタクト部
６０    電気回路
２３ｂ  内側爪部
２４ａ  外側爪部
【図１】
0003763204.tif 000002
【図２】
0003763204.tif 000003
【図３】
0003763204.tif 000004
【図４】
0003763204.tif 000005
【図５】
0003763204.tif 000006
【図６】
0003763204.tif 000007
【図７】
0003763204.tif 000008
【図８】
0003763204.tif 000009
【図９】
0003763204.tif 000010
【図１０】
0003763204.tif 000011